【手続補正書】
【提出日】平成22年4月21日(2010.4.21)
【手続補正１】
【補正対象書類名】特許請求の範囲
【補正対象項目名】全文
【補正方法】変更
【補正の内容】
【特許請求の範囲】
【請求項１】
ケース（２，２４，３４）と、凹状の釣糸挟持溝（９，２５，３７）を有して前記ケースに設けられた遮熱効果を有する釣糸挟持板（６，２０，３０）と、前記ケースに設けられ釣糸挟持溝に挟持された釣糸（１０）を前記釣糸挟持溝の近傍位置において焼き切ると同時に釣糸の切口が熱でとかされて膨らみ（１２）を生じさせる発熱部（５，２６，３６）とを具備したことを特徴とする釣糸切断具。
【請求項２】
前記釣糸挟持溝は、その開口端（７）から底部（８）にかけて漸次、幅を狭く形成したことを特徴とする請求項１に記載の釣糸切断具。
【請求項３】
前記ケースは適宜のライタ（２２，３２）の胴部にて構成し、前記釣糸挟持板を前記ケースに対して着脱自在とし、該釣糸挟持板の釣糸挟持溝を前記ライタの発熱部に近接させたことを特徴とする請求項１に記載の釣糸切断具。
【手続補正２】
【補正対象書類名】明細書
【補正対象項目名】全文
【補正方法】変更
【補正の内容】
【発明の詳細な説明】
【発明の名称】釣糸切断具
【技術分野】
【０００１】
本発明は、釣糸を発熱部で焼き切る釣糸切断具に関する。
【背景技術】
【０００２】
釣糸に仕掛けやルアー等を結んで取付けた際、結び目から先を結び目近くで切った後、その切口をライタの火で溶かして膨らみをつくり、ホツれを防止すると共に、結び目が解けにくくなるようにしている。
【０００３】
特開２００７−７５０１６号公報には、ライタに炎を囲む筒（６）を設け、その筒に設けた穴（５）から結び目近くで切った釣り糸（Ａ）の端部を挿入して、釣糸の切口を焼いて溶かす局所加熱装置が開示されている。
【特許文献１】特開２００７−７５０１６号
【発明の開示】
【発明が解決しようとする課題】
【０００４】
特開２００７−７５０１６号公報に記載された局所加熱装置は、あらかじめ、釣糸を結び目近くで切断した後に使用するものであったため、釣糸切断用のカッタが必要であった。また、カッタによる切断操作と、局所加熱装置による切口の処理の二つの操作を要し、作業が面倒となる問題もあった。
【０００５】
本発明は、これらの問題に鑑みてなされたもので、カッタを用いることなく釣糸を結び目の近くで切断し、かつ、切口を溶かして膨らみを作ることができ、これらを、一度の操作で簡単に行なえる釣糸切断具を提供することを目的とする。
【課題を解決するための手段】
【０００６】
ケースに、凹状の釣糸挟持溝を有する遮熱効果を有する釣糸挟持板と、発熱部とを設け、釣糸を釣糸挟持溝に挟持して、その釣糸を前記釣糸挟持溝の近傍位置において焼き切ると同時に釣糸の切口が熱で溶かされて膨らみを生じさせることができる構成とした。
【０００７】
前記釣糸挟持溝は、その開口端から底部にかけて漸次、幅を狭く形成するとよい。
【０００８】
前記ケースは適宜のライタの胴部にて構成し、前記釣糸挟持板を前記ケースに対して着脱自在とし、該釣糸挟持板の釣糸挟持溝を前記ライタの発熱部に近接させるとよい。
【発明の効果】
【０００９】
本発明によれば、釣糸挟持板の釣糸挟持溝に釣糸を挟んで発熱部で焼き切ると同時に、切口を溶かして膨らみを作ることができる。当該膨らみによって、釣糸のホツれを防止すると共に結び目が解けにくくなるようにすることができる。よって、釣糸の結び目から先の処理を一度の作業で簡単に行なうことができる。
【００１０】
前記釣糸挟持溝を、その開口端から底部にかけて漸次、幅を狭く形成することによって、釣糸の太さに拘らず確実に挟持することができるものとなる。
【００１１】
また、前記釣糸挟持板をケースに対して着脱自在にすると、市販されている適宜のライタを用いることができ、その場合、ライタの胴部が釣糸切断具のケースとなる。このように、釣糸挟持板をライタのケースに着脱自在なものとし、挟持板の釣糸挟持溝をライタの発熱部近傍に位置させるようにすれば、釣糸挟持板と市販されている適宜のライタとで釣糸切断具を構成することができる。従って、釣糸挟持板があれば、適宜のライタと組合わせて容易に釣糸切断具とすることができる。
【発明を実施するための最良の形態】
【００１２】
以下、本発明の釣糸切断具１を実施するための第一の実施の形態を、図１及び図２を参照して説明する。
【００１３】
図１は釣糸切断具１を示す斜視図で、燃料ガスを充填したケース２の上端には着火操作部３とガス噴出ノズル４とが設けられ、着火操作部３を押下してノズル４より噴出するガスに着火し、発熱部としての炎５（図２参照）を生じさせるようにしている。また、ケース２には、ノズル４の側方位置に、釣糸挟持板６が設けられている。
【００１４】
該釣糸挟持板６の幅方向ほぼ中央位置には凹状すなわち、上方の開口端７から底部８にかけて漸次、幅を狭くＶ字状に形成された釣糸挟持溝９が設けられている。
【００１５】
図２はこの釣糸切断具１の使用状態を示す側面図で、釣糸１０を釣糸挟持溝９（図１参照）に挟持する。このとき、釣糸１０の結び目１１を釣糸挟持板６の外面側（図中左方）に位置させる。そして、着火操作部３を押下すると、ノズル４より噴出するガスに点火して炎５が生じ、釣糸１０は、その結び目１１から若干、先の位置で焼き切られる。同時に、釣糸１０の焼き切られた部分は、熱で溶かされて膨らみ１２を生じることになる。また、膨らみ１２によって、釣糸１０のホツれを防止すると共に結び目１１が解けにくくなるようにすることができる。
【００１６】
以上の構成によれば、釣糸挟持板６の挟持溝９に釣糸１０を挟持して発熱部５で釣糸１０を焼き切ると同時に、切口の処理が行なえる。また、挟持板６の遮熱効果により結び目１１が溶ける恐れがないので、釣糸１０を結び目１１の近くで切断することができる。
【００１７】
さらに、釣糸挟持溝９をＶ字形状としたことによって、釣糸１０の太さに拘らず確実に挟持することができる。
【００１８】
【００１９】
図３及び図４は、第二の実施の形態を示す斜視図で、この実施の形態では、図３に示す如く、釣糸挟持板２０を略Ｕ字形の装着体２１に一体形成し、これを市販されている適宜のライタ２２の胴部に装着して図４に示す釣糸切断具２３を構成するものとする。この構成では、ライタ２２の胴部が釣糸切断具２３のケース２４となり、このケース２４に対して釣糸挟持板２０を着脱自在に装着するものとする。この場合、挟持板２０に設けられた釣糸挟持溝２５がライタ２２の発熱部２６近傍に位置するように、装着体２１を、その弾性力を利用してケース２４に装着する。
【００２０】
このようにすると、市販している適宜のライタ２２に釣糸挟持板２０を装着するだけで、釣糸切断具２３を構成することができる。
【００２１】
図５及び図６は、第三の実施の形態を示す斜視図で、この実施の形態では、釣糸挟持板３０を筒状装着体３１に一体形成し、これを市販されている適宜のライタ３２の胴部に装着して図６に示す釣糸切断具３３を構成するものとする。この場合もライタ３２の胴部が釣糸切断具３３のケース３４となる。この筒状装着体３１の内側は、ウレタン等の弾性層３５にて形成する。釣糸挟持板３０は筒状装着体３１の上端に一体形成し、ライタ３２を筒状装着体３１内に差し込んだ状態で、ライタ３２の発熱部３６が釣糸挟持板３０に設けた釣糸挟持溝３７の近傍に位置するようにする。
【００２２】
この実施形態でも、市販している適宜のライタ３２を筒状装着体３１に差し込むだけで、釣糸切断具３３を構成することができる。また、筒状装着体３１の内側をウレタン等の弾性層３５にて形成することにより、ライタ３２の外形寸法にバラツキがあっても、ライタ３２の胴部にピッタリと装着できる。
【００２３】
本実施の形態では、ライタ３２を差し込む筒状装着体３１を介して釣糸挟持板３０をライタに装着するものとしたが、釣糸挟持板３０のライタ３２に対する装着手段はこれに限るものではなく、面ファスナで装着してもよいし、ねじで固定する構成としてもよい。
【００２４】
また、ターボライタを用いると、強風の中でも点火が可能であり、ガスが高温燃焼するために釣糸の切断が容易ともなる。
【図面の簡単な説明】
【００２５】
【図１】第一の実施の形態を示す釣糸切断具の斜視図。
【図２】同実施の形態における釣糸切断具の使用状態を示す側面図。
【図３】第二の実施の形態を示す釣糸挟持板及び装着体の斜視図。
【図４】同実施の形態を示す釣糸切断具の斜視図。
【図５】第三の実施の形態を示す釣糸挟持板及び装着体の斜視図。
【図６】同実施の形態を示す釣糸切断具の斜視図。
【符号の説明】
【００２６】
１，２３，３３  釣糸切断具
２，２４，３４  ケース
５，２６，３６  発熱部
６，２０，３０  釣糸挟持板
７              開口端
８              底部
９，２５，３７  釣糸挟持溝
１０            釣糸
１２            膨らみ
２２，３２      ライタ